【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
組成物を含むかまたはそれから調製されるフィルムであって、前記組成物が、
（ａ）少なくとも１種類のポリエステルポリマー、
（ｂ）１から３０重量％の少なくとも１種類のＥ／Ｘ／Ｙコポリマーであって、式中、Ｅがエチレンを含み、Ｘが酢酸ビニルまたは（メタ）アクリル酸アルキルエステルであり、Ｙが一酸化炭素、二酸化硫黄、アクリロニトリル、無水マレイン酸、マレイン酸ジエステル、（メタ）アクリル酸、マレイン酸、マレイン酸モノエステル、イタコン酸、フマル酸、フマル酸モノエステル、これらの塩、アクリル酸グリシジル、メタクリル酸グリシジル、グリシジルビニルエーテル、またはこれらの２種類以上の組合せであり、Ｘが前記Ｅ／Ｘ／Ｙコポリマーの０から５０重量％存在し、Ｙが前記Ｅ／Ｘ／Ｙコポリマーの０から３５重量％存在し、このＸおよびＹの重量％は両方が０であることはできず、Ｅがその残りであり、前記少なくとも１種類のＥ／Ｘ／Ｙコポリマーが好ましくはエチレン／アクリル酸アルキルコポリマーであって、前記エチレン／アクリル酸アルキルコポリマー中のアクリル酸アルキルが約５から約４０重量％、好ましくは約１０から約３５重量％の範囲にある、Ｅ／Ｘ／Ｙコポリマー、および
（ｃ）任意選択的に、０．０１から２０、好ましくは０．１から１５、または５から１０重量％の少なくとも１種類の充填剤、艶消剤、熱および紫外線安定剤、紫外線吸収剤、帯電防止剤、停止剤、蛍光増白剤、顔料、または他の添加剤、
を含むかまたはそれらから生成されることを特徴とするフィルム。
【請求項２】
前記フィルムが、（１）前記組成物を急冷用の冷却水槽中またはチルドロール上に押し出すか、または（２）前記組成物を環状ダイを通して押出して、チューブ状インフレートフィルム（ｔｕｂｕｌａｒ  ｂｌｏｗｎ  ｆｉｌｍ）にし、空冷による急冷（ａｉｒ−ｑｕｅｎｃｈｅｄ）によって生成されることを特徴とする請求項１に記載のフィルム。
【請求項３】
前記組成物が、管形反応器（ｔｕｂｕｌａｒ  ｒｅａｃｔｏｒ）で生成されるエチレン／アクリル酸アルキルコポリマーを含むことを特徴とする請求項１または２に記載のフィルム。
【請求項４】
請求項１、２、または３に記載のフィルムを細断することによって生成されることを特徴とするテープ。
【請求項５】
請求項４に記載のテープを延伸することによって生成されることを特徴とする繊維。
【請求項６】
請求項４に記載のテープまたは請求項５に記載の繊維を含むかまたはそれから調製されることを特徴とする織物または編物。
【請求項７】
請求項１または２に記載の組成物を含むかまたはそれから調製されることを特徴とする繊維または溶融紡糸繊維。
【請求項８】
請求項６に記載の繊維または溶融紡糸繊維を含むかまたはそれから調製されることを特徴とする織物、不織布、または編物。
【請求項９】
請求項８に記載の織物、不織布、または編物を含むかまたはそれから調製されることを特徴とする物品。
【請求項１０】
前記物品が、おむつ、成人の失禁用製品、女性用衛生製品、医療用衣料品、個人の保護装具、衛生保護備品、詰物、耐久紙、雑巾、包装紙、横断幕、カーペット裏材、地盤用シート（ｇｅｏｔｅｘｔｉｌｅ）、農業用シート、室内装飾材料、衣料品、フィルター、ライナー（ｌｉｎｅｒ）、建設用ラップ、屋根ふき用の膜、防水シート、帆、ボート・トップ（ｂｏａｔ  ｔｏｐ）、覆い、天幕、テント、脱出スライド、天蓋、横断幕、建築用の膜、機械ベルト、スーツケースまたは梱包材料のライナー、袋地、ブックカバー、履物、建設用ネット、産業用ネット、コード、撚り糸、ロープ、靴ひも、革ひも（ｓｔｒａｐ）、魚網、荷役ネット（ｃａｒｇｏ  ｎｅｔ）、カーペットのふさ飾り、人工芝、マット材料、ストラッピング（ｓｔｒａｐｐｉｎｇ）、または接着テープであることを特徴とする請求項９に記載の物品。
【手続補正２】
【補正対象書類名】明細書
【補正対象項目名】０１１５
【補正方法】変更
【補正の内容】
【０１１５】
地盤用シートは、道路の品質を改良するために砂利および舗床層の下の道路中に用いることができる。地盤用繊維布は、幅約２．５ｍｍのポリエステルテープを製織することによって一般に製造される。地盤用シートはまた、溶融紡糸繊維から得られるスパンボンド不織布材料からも調製される。地盤用シートに対する収縮基準は、カーペット基布に対する基準ほど厳しくない。しかしながら耐穿孔性が地盤用シートにとっては好ましい。
以下に本明細書に記載された主な発明につき列記する。
１．  組成物を含むかまたはそれから調製されるフィルムであって、前記組成物が、（ａ）少なくとも１種類のポリエステルポリマーと、（ｂ）１から３０重量％の少なくとも１種類のＥ／Ｘ／Ｙコポリマーとを含むかまたはそれらから生成され、式中、Ｅがエチレンを含み、Ｘが酢酸ビニルまたは（メタ）アクリル酸アルキルエステルであり、Ｙが一酸化炭素、二酸化硫黄、アクリロニトリル、無水マレイン酸、マレイン酸ジエステル、（メタ）アクリル酸、マレイン酸、マレイン酸モノエステル、イタコン酸、フマル酸、フマル酸モノエステル、これらの塩、アクリル酸グリシジル、メタクリル酸グリシジル、グリシジルビニルエーテル、またはこれらの２種類以上の組合せであり、Ｘが前記Ｅ／Ｘ／Ｙコポリマーの０から５０重量％存在し、Ｙが前記Ｅ／Ｘ／Ｙコポリマーの０から３５重量％存在し、このＸおよびＹの重量％は両方が０であることはできず、Ｅがその残りであり、前記少なくとも１種類のＥ／Ｘ／Ｙコポリマーが好ましくはエチレン／アクリル酸アルキルコポリマーであって前記エチレン／アクリル酸アルキルコポリマー中のアクリル酸アルキルが約５から約４０重量％、好ましくは約１０から約３５重量％の範囲にあることを特徴とするフィルム。
２．  前記アクリル酸アルキルが、アクリル酸メチル、アクリル酸エチル、アクリル酸ブチル、またはこれらの２種類以上の組合せであり、好ましくはアクリル酸メチルであることを特徴とする前記１．に記載のフィルム。
３．  成分（ｂ）が５から１０重量％の量で存在することを特徴とする前記１．または２．に記載のフィルム。
４．  （ｃ）０．０１から２０、好ましくは０．１から１５、または５から１０重量％の少なくとも１種類の充填剤、艶消剤、熱および紫外線安定剤、紫外線吸収剤、帯電防止剤、停止剤（ｔｅｒｍｉｎａｔｉｎｇ  ａｇｅｎｔｓ）、蛍光増白剤、顔料、または他の添加剤をさらに含むことを特徴とする前記１．、２．、または３．に記載のフィルム。
５．  前記フィルムが、（１）前記組成物を急冷用の冷却水槽中またはチルドロール上に押し出すか、または（２）前記組成物を環状ダイを通して押出してチューブ状インフレートフィルム（ｔｕｂｕｌａｒ  ｂｌｏｗｎ  ｆｉｌｍ）にし、エアクエンチ空冷による急冷する（ａｉｒ−ｑｕｅｎｃｈｅｄ）ことによって生成されることを特徴とする前記１．、２．、３．、または４．に記載のフィルム。
６．  前記組成物が、管形反応器（ｔｕｂｕｌａｒ  ｒｅａｃｔｏｒ）で生成されるエチレン／アクリル酸アルキルコポリマーを含むことを特徴とする前記５．に記載のフィルム。
７．  前記１．、２．、３．、４．、５．、または６．に記載のフィルムを細断することによって生成されることを特徴とするテープ。
８．  前記７．に記載のテープを延伸することによって生成されることを特徴とする繊維。
９．  前記７．に記載のテープまたは前記８．に記載の繊維を含むかまたはそれから調製されることを特徴とする織物または編物。
１０．  前記１．、２．、３．、４．、または５．で特徴づけられるに記載の組成物を含むかまたはそれから調製されることを特徴とする繊維または溶融紡糸繊維。
１１．  前記９．に記載の繊維または溶融紡糸繊維を含むかまたはそれから調製されることを特徴とする織物、不織布、または編物。
１２．  前記１１．に記載の織物、不織布、または編物を含むかまたはそれから調製されることを特徴とする物品。
１３．  前記物品が、おむつ、成人の失禁用製品、女性用衛生製品、医療用衣料品、個人の保護装具、衛生保護備品、詰物、耐久紙、雑巾、包装紙、横断幕、カーペット基布、地盤用シート、農業用シート、室内装飾材料、衣料品、フィルター、ライナー（ｌｉｎｅｒ）、建設用ラップ、屋根ふき用の膜、防水シート、帆、ボート・トップ（ｂｏａｔ  ｔｏｐ）、覆い、天幕、テント、脱出スライド、天蓋、横断幕、建築用の膜、機械ベルト、スーツケースまたは梱包材料のライナー、袋地、ブックカバー、履物、建設用ネット、産業用ネット、コード、撚り糸、ロープ、靴ひも、革ひも（ｓｔｒａｐ）、魚網、荷役もっこネット（ｃａｒｇｏ  ｎｅｔ）、カーペットのふさ飾り、人工芝、マット材料、ストラッピング（ｓｔｒａｐｐｉｎｇ）、または接着テープであることを特徴とする前記１２．に記載の物品。